(57)【要約】【課題】表示画面上の所望の位置を正確に指し示して表示させながらのプレゼンテーションを容易に行うことが可能な資料提示装置を提供する。【解決手段】資料提示装置１００は、資料を撮像するカメラ１と、パソコンから資料情報が入力される情報入力部２と、カメラ１によって撮像された撮像情報、又は情報入力部２に入力された資料情報を静止画像又は動画像として表示するディスプレイ３と、ディスプレイ３に表示された情報を、撮像情報又は資料情報に切り替える切替部４と、ディスプレイ３に対する指示の入力を受け付けるタッチパネル５と、タッチパネル５によって受け付けられた指示を図形としてディスプレイ３に重畳する重畳部６と、ディスプレイ３に表示された撮像情報又は資料情報をプロジェクタ２００に対して出力する情報出力部８と、を一体化して備えている。【選択図】図１
2007049676.tif 000002
【特許請求の範囲】
【請求項１】
資料を撮像する撮像部と、
資料出力装置から資料情報が入力される情報入力部と、
前記撮像部によって撮像された撮像情報、又は前記情報入力部に入力された資料情報を静止画像又は動画像として表示する表示部と、
前記表示部に表示された情報を、前記撮像情報又は前記資料情報に切り替える切替部と、
前記表示部に対する指示の入力を受け付けるタッチパネルと、
前記タッチパネルによって受け付けられた指示を図形として前記表示部に重畳する重畳部と、
前記表示部に表示された前記撮像情報又は前記資料情報を画像表示装置に対して出力する情報出力部と、
を一体化して備えた資料提示装置。
【請求項２】
前記タッチパネルは、前記表示部に表示された前記撮像情報又は前記資料情報に対する操作を行う操作部を含む、請求項１記載の資料提示装置。
【請求項３】
前記撮像情報又は前記資料情報に対して画像処理を施す画像処理部を更に備え、
前記表示部は、前記画像処理部によって画像処理された画像処理情報を表示する、請求項１又は２記載の資料提示装置。
【請求項４】
前記表示部に表示された前記撮像情報又は前記資料情報を記録する記録部と、
前記記録部によって記録された情報を編集する編集部と、
を更に備えた、請求項１〜３の何れか一項記載の資料提示装置。
【請求項５】
前記タッチパネルは、当該タッチパネルによって受け付けられた前記指示を指示入力装置に対して出力する、請求項１〜４の何れか一項記載の資料提示装置。
【請求項６】
前記撮像情報又は前記資料情報の音声の出力を行う音声出力部、及び／又は、前記撮像情報又は前記資料情報に対する音声の入力を受け付ける音声入力部を更に備えた、請求項１〜５の何れか一項記載の資料提示装置。
【請求項７】
前記表示部に表示された前記撮像情報又は前記資料情報に割り当てられた、当該撮像情報又は当該資料情報を識別するための識別コードを読み取るコード読取部を更に備え、
前記表示部は、前記コード読取部によって読み取られた識別コードに対応する当該撮像情報又は当該資料情報を表示する、請求項１〜６の何れか一項記載の資料提示装置。
【請求項８】
前記表示部に表示された前記撮像情報又は前記資料情報に割り当てられた、当該撮像情報又は当該資料情報を識別するための識別コードを、印刷装置に出力するコード出力部を更に備えた、請求項７記載の資料提示装置。
【請求項９】
資料を撮像する撮像部と、
資料出力装置から資料情報が入力される情報入力部と、
前記撮像部によって撮像された撮像情報、又は前記情報入力部に入力された資料情報を静止画像又は動画像として表示する表示部と、
前記表示部に対する指示の入力を受け付けるタッチパネルと、
前記タッチパネルによって受け付けられた指示を図形として前記表示部に重畳する重畳部と、
前記表示部に表示された前記撮像情報又は前記資料情報を被投射領域に対して投射する投射部と、
を一体化して備えた資料提示装置。
【請求項１０】
前記表示部に表示された情報を、前記撮像情報又は前記資料情報に切り替える切替部と、
前記表示部に表示された前記撮像情報又は前記資料情報を画像表示装置に対して出力する情報出力部と、
を更に備える、請求項９記載の資料提示装置。
【請求項１１】
前記表示部を有する筐体と、
前記筐体の側壁から突出して設けられると共に当該突出方向の周りに回動自在に設けられた第一回動体と、
前記第一回動体に設けられると共に前記第一回動体の前記突出方向に対して垂直な方向の回りに回動自在に前記投射部を支持する第二回動体と、
を更に備えた、請求項９又は１０記載の資料提示装置。
【請求項１２】
前記表示部を有する筐体と、
前記筐体の側壁から突出して設けられると共に当該突出方向の周りに回動自在に設けられた第一回動体と、
前記第一回動体の一端に開閉可能に設けられると共に、閉じた際に前記投射部と対向する面に反射面を有し、開閉動作によって、前記投射部が投射した前記撮像情報又は前記資料情報の当該資料提示装置の外部への反射方向を変更させる開閉部と、
を更に備えた、請求項９又は１０記載の資料提示装置。
【請求項１３】
前記第一回動体は、前記筐体の側壁から分離可能であり、
前記第一回動体と前記筐体の側壁とは、前記撮像部によって撮像された撮像情報、又は前記情報入力部に入力された資料情報の前記被投射領域に対する前記投射部による投射が可能に接続されている、請求項１１又は１２記載の資料提示装置。
【発明の詳細な説明】
【技術分野】
【０００１】
本発明は、例えば会議等において資料を提示するための資料提示装置に関するものである。
【背景技術】
【０００２】
プレゼンテーション等が行われる際には、投影装置（例えば、プロジェクタ）や資料提示装置が用いられる。プレゼンテーション等を効果的に行うことができるように、投影装置や資料提示装置には様々な工夫がなされている。例えば、下記特許文献１に開示された、資料提示装置を用いたプレゼンテーションシステムでは、プレゼンター等が操作する指示マーク（例えば、発光ＬＥＤが設けられたペン）の動きが、ディスプレイ装置の表示画面上ではポイント画像の動きとして変換されて、表示されている。このため、この指示マークを操作して、ポイント画像を表示画像上の所望の位置に移動させている。
【特許文献１】特開２００４−２３３５９号公報
【発明の開示】
【発明が解決しようとする課題】
【０００３】
しかしながら、ポイント画像を表示画面上の所望の位置に正確に移動させるのは容易ではなく、慣れが必要であるという問題がある。
【０００４】
また、ポイント画像を移動させるためには、上記のような指示入力専用のペン等が必要となり、プレゼンテーション等を行う際にペン等を用意・準備する作業が煩わしく困難であるという問題がある。
【０００５】
そこで本発明では、表示画面上の所望の位置を正確に指し示して表示させながらのプレゼンテーションを容易に行うことが可能な資料提示装置を提供することを目的とする。
【課題を解決するための手段】
【０００６】
上記の課題を解決するために、本発明に係る資料提示装置は、資料を撮像する撮像部と、資料出力装置から資料情報が入力される情報入力部と、撮像部によって撮像された撮像情報、又は情報入力部に入力された資料情報を静止画像又は動画像として表示する表示部と、表示部に表示された情報を、撮像情報又は資料情報に切り替える切替部と、表示部に対する指示の入力を受け付けるタッチパネルと、タッチパネルによって受け付けられた指示を図形として表示部に重畳する重畳部と、表示部に表示された撮像情報又は資料情報を画像表示装置に対して出力する情報出力部と、を一体化して備えたことを特徴とする。
【０００７】
本発明に係る資料提示装置によれば、資料が撮像部によって撮像され、この撮像された撮像情報が静止画像又は動画像として表示部に表示される。このため、この装置の利用者は、撮像情報を表示しながらのプレゼンテーションを容易に行うことができる。また、資料出力装置から資料情報が情報入力部に入力され、この入力された資料情報が静止画像又は動画像として表示部に表示される。このため、この装置の利用者は、資料情報を表示しながらのプレゼンテーションを容易に行うことができる。また、表示部に表示された情報を、切替部によって、撮像情報に切り替えたり、資料情報に切り替えることができる。このため、この装置の利用者は、表示部に表示される情報を切り替えながらのプレゼンテーションを容易に行うことができる。また、この表示部に対する指示の入力がタッチパネルによって受け付けられ、この受け付けられた指示が、矢印や直線や曲線等の図形として重畳部によって表示部に重畳される。このため、この装置の利用者は、タッチパネルに触れたりすることによって指示を入力すると、この指示が上記の図形として表示部に重畳される。この結果、タッチパネル上の所望の位置を正確に指し示して表示させることが容易に可能となり、この図形を利用しながらのプレゼンテーションを容易に行うことができる。また、表示部に表示された撮像情報又は資料情報が、情報出力部によって画像表示装置に対して出力される。このため、この装置の利用者は、表示部に表示された撮像情報又は資料情報を画像表示装置に対して出力し、これらの情報を画像表示装置に表示させながらのプレゼンテーションを容易に行うことができる。以上のように、この装置には、撮像部と、情報入力部と、表示部と、切替部と、タッチパネルと、重畳部と、情報出力部と、が一体化して備えられているため、容易に持ち運ぶことが可能となり、また、多くの機能を利用したプレゼンテーションを容易に行うことが可能となる。
【０００８】
また、タッチパネルは、表示部に表示された撮像情報又は資料情報に対する操作を行う操作部を含むのも好ましい。
【０００９】
これにより、静止画像又は動画像として表示部に表示された撮像情報又は資料情報に対する、表示、再生、一時停止、スロー再生、早送り、早戻し等を含む操作を、操作部によって行うことができる。
【００１０】
また、資料提示装置は、撮像情報又は資料情報に対して画像処理を施す画像処理部を更に備え、表示部は、画像処理部によって画像処理された画像処理情報を表示するのも好ましい。
【００１１】
これにより、画像の拡大や縮小等を含む画像処理が画像処理部によって行われた画像処理情報が、表示部に表示される。このため、この装置の利用者は、この画像処理情報を利用しながらのプレゼンテーションを容易に行うことができる。
【００１２】
また、資料提示装置は、表示部に表示された撮像情報又は資料情報を記録する記録部と、記録部によって記録された情報を編集する編集部と、を更に備えるのも好ましい。
【００１３】
これにより、表示部に表示された撮像情報又は資料情報を記録し、この記録された情報を編集することができる。
【００１４】
また、タッチパネルは、当該タッチパネルによって受け付けられた指示を指示入力装置に対して出力するのも好ましい。
【００１５】
これにより、タッチパネルに触れたりすることによって指示を入力すると、資料提示装置に接続された指示入力装置（例えば、パソコン等）に対して、この指示が出力される。このため、タッチパネルに指示を入力することにより、マウス等の入力装置としての操作（例えば、ダブルクリック等）や描画等を含む指示を指示入力装置に対して行うことができる。
【００１６】
また、資料提示装置は、撮像情報又は資料情報の音声の出力を行う音声出力部、及び／又は、撮像情報又は資料情報に対する音声の入力を受け付ける音声入力部を更に備えるのも好ましい。
【００１７】
これにより、撮像情報又は資料情報の音声の出力を行うこと、及び／又は、撮像情報又は資料情報に対する音声の入力を受け付けることができる。
【００１８】
また、資料提示装置は、表示部に表示された撮像情報又は資料情報に割り当てられた、当該撮像情報又は当該資料情報を識別するための識別コードを読み取るコード読取部を更に備え、表示部は、コード読取部によって読み取られた識別コードに対応する当該撮像情報又は当該資料情報を表示するのも好ましい。
【００１９】
これにより、表示部は、コード読取部によって読み取られた識別コードに対応する当該撮像情報又は当該資料情報を表示することができる。このため、この装置の利用者は、識別コードをコード読取部に読み取らせ、表示部に当該撮像情報又は当該資料情報を表示させながらのプレゼンテーションを容易に行うことができる。
【００２０】
また、資料提示装置は、表示部に表示された撮像情報又は資料情報に割り当てられた、当該撮像情報又は当該資料情報を識別するための識別コードを、印刷装置に出力するコード出力部を更に備えるのも好ましい。
【００２１】
これにより、当該撮像情報又は当該資料情報を識別するための識別コードが、印刷装置に出力される。このため、この装置の利用者は、識別コードをこの印刷装置に印刷させることができる。これにより、この装置の利用者は、プレゼンテーションを行う際に、この印刷された識別コードを用意するだけでよい。そして、この利用者は、この識別コードを上記のコード読取部に読み取らせるだけで、表示部に当該撮像情報又は当該資料情報を表示させながらのプレゼンテーションを容易に行うことができる。
【００２２】
本発明に係る資料提示装置は、資料を撮像する撮像部と、資料出力装置から資料情報が入力される情報入力部と、撮像部によって撮像された撮像情報、又は情報入力部に入力された資料情報を静止画像又は動画像として表示する表示部と、表示部に対する指示の入力を受け付けるタッチパネルと、タッチパネルによって受け付けられた指示を図形として表示部に重畳する重畳部と、表示部に表示された撮像情報又は資料情報を被投射領域に対して投射する投射部と、を一体化して備えたことを特徴とする。
【００２３】
本発明に係る資料提示装置によれば、資料が撮像部によって撮像され、この撮像された撮像情報が静止画像又は動画像として表示部に表示される。このため、この装置の利用者は、撮像情報を表示しながらのプレゼンテーションを容易に行うことができる。また、資料出力装置から資料情報が情報入力部に入力され、この入力された資料情報が静止画像又は動画像として表示部に表示される。このため、この装置の利用者は、資料情報を表示しながらのプレゼンテーションを容易に行うことができる。また、この表示部に対する指示の入力がタッチパネルによって受け付けられ、この受け付けられた指示が、矢印や直線や曲線等の図形として重畳部によって表示部に重畳される。このため、この装置の利用者は、タッチパネルに触れたりすることによって指示を入力すると、この指示が上記の図形として表示部に重畳される。この結果、タッチパネル上の所望の位置を正確に指し示して表示させることが容易に可能となり、この図形を利用しながらのプレゼンテーションを容易に行うことができる。また、表示部に表示された撮像情報又は資料情報が、投射部によってスクリーン等の被投射領域に対して投射される。このため、この装置の利用者は、表示部に表示された撮像情報又は資料情報を被投射領域に対して投射し、これらの情報を被投射領域に投射させながらのプレゼンテーションを容易に行うことができる。以上のように、この装置には、撮像部と、情報入力部と、表示部と、タッチパネルと、重畳部と、投射部と、が一体化して備えられているため、容易に持ち運ぶことが可能となり、また、多くの機能を利用したプレゼンテーションを容易に行うことが可能となる。
【００２４】
また、資料提示装置は、表示部に表示された情報を、撮像情報又は資料情報に切り替える切替部と、表示部に表示された撮像情報又は資料情報を画像表示装置に対して出力する情報出力部と、を更に備えるのも好ましい。
【００２５】
これにより、表示部に表示された情報を、切替部によって、撮像情報に切り替えたり、資料情報に切り替えることができる。このため、この装置の利用者は、表示部に表示される情報を切り替えながらのプレゼンテーションを容易に行うことができる。また、表示部に表示された撮像情報又は資料情報が、情報出力部によって画像表示装置に対して出力される。このため、この装置の利用者は、表示部に表示された撮像情報又は資料情報を画像表示装置に対して出力し、これらの情報を画像表示装置に表示させながらのプレゼンテーションを容易に行うことができる。
【００２６】
また、資料提示装置は、表示部を有する筐体と、筐体の側壁から突出して設けられると共に当該突出方向の周りに回動自在に設けられた第一回動体と、第一回動体に設けられると共に第一回動体の突出方向に対して垂直な方向の回りに回動自在に投射部を支持する第二回動体と、を更に備えるのも好ましい。
【００２７】
これにより、第二回動体は、第一回動体の突出方向に対して垂直な方向の回りに回動自在に投射部を支持するため、第二回動体によって支持された投射部を、第一回動体の突出方向に対して垂直な方向の回りに自在に回動させることができる。即ち、投射部を、筐体の側壁に対して垂直な面内で自在に回動させることができる。また、第一回動体は、筐体の側壁から突出して設けられると共に当該突出方向の周りに回動自在に設けられるため、第一回動体に設けられた第二回動体によって支持された投射部を、第一回動体の突出方向の周りに自在に回動させることができる。即ち、投射部を、筐体の側壁に対して水平な面内で自在に回動させることができる。この結果、投射部を自由な向きに任意に移動させることができるため、被投射領域がどのような位置にあっても容易に投射することが可能となる。
【００２８】
また、資料提示装置は、表示部を有する筐体と、筐体の側壁から突出して設けられると共に当該突出方向の周りに回動自在に設けられた第一回動体と、第一回動体の一端に開閉可能に設けられると共に、閉じた際に投射部と対向する面に反射面を有し、開閉動作によって、投射部が投射した撮像情報又は資料情報の当該資料提示装置の外部への反射方向を変更させる開閉部と、を更に備えるのも好ましい。
【００２９】
これにより、投射部が投射した撮像情報又は資料情報の当該資料提示装置の外部への反射方向は、開閉部の開閉動作によって、変更される。この結果、撮像情報又は資料情報の資料提示装置の外部への反射方向を自由な方向に任意に変更させることができる。また、第一回動体は、筐体の側壁から突出して設けられると共に当該突出方向の周りに回動自在に設けられるため、第一回動体に設けられた開閉部を、第一回動体の突出方向の周りに自在に回動させることができる。即ち、撮像情報又は資料情報の資料提示装置の外部への反射方向を、筐体の側壁に対して水平な面内で自在に回動させることができる。この結果、撮像情報又は資料情報の資料提示装置の外部への反射方向を、自由な向きに任意に変更させることができるため、被投射領域がどのような位置にあっても容易に投射することが可能となる。
【００３０】
また、第一回動体は、筐体の側壁から分離可能であり、第一回動体と筐体の側壁とは、撮像部によって撮像された撮像情報、又は情報入力部に入力された資料情報の被投射領域に対する投射部による投射が可能に接続されているのも好ましい。
【００３１】
これにより、第一回動体を筐体の側壁から分離しながら、撮像部によって撮像された撮像情報、又は情報入力部に入力された資料情報を被投射領域に対して投射部により投射することができる。この結果、第一回動体に設けられた第二回動体によって支持された投射部をより自由な位置に任意に移動させることができるため、被投射領域がどのような位置にあってもより容易に被投射領域に投射することが可能となる。また、第一回動体と筐体の側壁とを接続する以外の、接続用ケーブルといった接続線は不要となるため、プレゼンテーションを行うのに必要となる準備作業を軽減することができる。
【発明の効果】
【００３２】
本発明によれば、多くの機能を利用したプレゼンテーションを容易に行うことが可能な資料提示装置を提供することができる。
【発明を実施するための最良の形態】
【００３３】
以下、添付図面を参照しながら本発明の好適な実施形態である第一、第二、及び第三実施形態を説明する。なお、図面の説明において同一要素には同一符号を付し、重複する説明を省略する。
【００３４】
（１）第一実施形態について
本発明の第一実施形態である資料提示装置について、図１と、図２（ａ）及び（ｂ）と、図３（ａ）〜（ｃ）と、図４と、図５と、を用いて説明する。図１は、本実施形態に係る資料提示装置１００のブロック構成図である。また、図２（ａ）は、資料提示装置１００を使用可能にセッティングした状態を示す斜視図であり、図２（ｂ）は、図２（ａ）とは異なる方向から見た場合の斜視図である。また、図３（ａ）は、資料提示装置１００を収納した状態を示す斜視図であり、図３（ｂ）は、図３（ａ）の収納状態において資料提示装置１００と指示入力装置（例えば、パソコン）とを接続した状態における資料提示装置１００の側面図であり、図３（ｃ）は、図３（ｂ）の収納状態における電源スイッチＳＷ及び電源ソケットＥＳ近傍の拡大図である。また、図４は、例えば入力用ペン６０を用いて、ディスプレイ３に対する指示を入力する様子を示した図である。また、図５は、資料提示装置１００とプロジェクタ２００とを接続し、撮像情報をスクリーン２１０等の被投射領域（即ち、投射される領域）に映し出す様子を示した図である。なお、資料提示装置１００は、例えば会議等において資料を提示するための装置である。
【００３５】
資料提示装置１００は、機能的な構成要素として大きく分けて、カメラ１（撮像部）、情報入力部２、ディスプレイ３（表示部）、切替部４、タッチパネル５、重畳部６、操作部７、情報出力部８、画像処理部９、記録部１０、編集部１１、音声入力部１２、音声出力部１３、コード読取部１４、コード出力部１５、制御部１６、及び投射部１７を備えている。
【００３６】
カメラ１は、資料を撮像することができるカメラである。カメラ１は、図２（ａ）及び（ｂ）に示すように、カメラアーム１Ｂの一端と、回転軸（図示せず）を中心として回転可能に接続されている。このため、カメラ１をこの回転軸を中心として回転させることにより、装置１００の周囲の撮影が可能となる。また、カメラアーム１Ｂの他端は、カメラアーム１Ｃの一端と、回転軸１Ｄを中心として回転可能に接続されている。さらに、カメラアーム１Ｃの他端は、資料提示装置１００の支持台と、回転軸１Ｅを中心として回転可能に接続されている。資料提示装置１００の支持台は、資料提示装置１００の筐体１８の側壁１８Ａと接続されている。なお、筐体１８は、ディスプレイ３やカメラ１を有している。カメラ１は、フォーカスリング１Ａを有しており、このリングを回転することにより、資料を撮像する際のピントを合わせることができる。さらに、カメラアーム１Ｂ及び１Ｃ各々を上記の回転軸を中心として回転させて、カメラアーム１Ｂと、資料提示装置１００の設置面との距離を調整することにより、撮影サイズを４倍まで拡大することができる。カメラ１により撮像された撮像情報は、切替部４に送信される。
【００３７】
情報入力部２は、資料出力装置から資料情報が入力される部分であり、例えば、ＵＳＢ端子２Ａや、ＲＧＢ入力端子２Ｂが含まれる。情報入力部２は、資料提示装置１００の筐体１８の側壁１８Ａに設けられている。なお、資料出力装置とは、例えば、プレゼンテーションを行う際に補助的に用いるパソコン等である。情報入力部２に入力された資料情報は、切替部４に送信される。
【００３８】
ディスプレイ３は、カメラ１によって撮像された撮像情報、又は情報入力部２に入力された資料情報を、静止画像又は動画像として表示する部分である。ディスプレイ３は、図２（ａ）及び（ｂ）に示すように、ディスプレイ３の外枠となるディスプレイフレーム３Ｄの枠内に設けられている。ディスプレイフレーム３Ｄは、ディスプレイアーム３Ａの一端と、回転軸３Ｂを中心として回転可能に接続されている。また、ディスプレイアーム３Ａの他端は、資料提示装置１００の支持台と、回転軸３Ｃを中心として回転可能に接続されている。資料提示装置１００の支持台は、資料提示装置１００の筐体１８の側壁１８Ａと接続されている。ディスプレイアーム３Ａを上記の回転軸を中心として回転させて、ディスプレイ３を見やすい位置にセッティングすることができる。ディスプレイ３の表示部には、タッチパネル５が取り付けられている。資料提示装置１００の利用者は、ディスプレイ３に表示された情報を視認することができる。
【００３９】
切替部４は、ディスプレイ３に表示された情報を、撮像情報又は資料情報に切り替える部分である。すなわち、切替部４により、カメラ１によって撮像された撮像情報を表示させるか、情報入力部２に入力された資料情報を表示させるかを、切り替えることができる。資料提示装置１００の利用者は、後述の入力切替マークに触れて選択することにより、ディスプレイ３に表示された情報を、撮像情報又は資料情報に切り替えることができる。また、切替部４は、資料提示装置１００が備える後述のリモートコントローラ（以下、リモコンという。）１５０に入力切替ボタンとして設けられている。ディスプレイ３に撮像情報を表示させるか、資料情報を表示させるかを決定して制御する信号は、制御部１６に送信される。
【００４０】
タッチパネル５は、ディスプレイ３に対する指示の入力を受け付けるパネルである。すなわち、タッチパネル５とは、ディスプレイ３の表面に取り付けられる入力装置であり、感圧式や静電式のものがある。資料提示装置１００の利用者は、図４に示すように、装置に付属の入力用ペン６０を用いてタッチパネル５に触れたりすることによって、ディスプレイ３に対する指示を入力することができる。また、資料提示装置１００の利用者は、入力用ペン６０を用いずに、タッチパネル５に指で直接触れたりすることによって、この指示を入力することも可能である。タッチパネル５には、ディスプレイ３に対する指示各々に対応した機能を有する操作マーク（例えば、上記の切替マーク等）が表示されている。すなわち、タッチパネル５は、ディスプレイ３に表示された撮像情報又は資料情報に対する操作を行う操作マークを含んでいる。これにより、資料提示装置１００の利用者は、この操作マークに触れて選択することにより、その操作マークに対応した機能を実行させることができる。タッチパネル５に入力された指示は、制御部１６に送信される。
【００４１】
重畳部６は、タッチパネル５によって受け付けられた指示を、図形としてディスプレイ３に重畳する部分である。重畳部６は、例えばソフトウェアとして構成されている。重畳部６は、この指示を、矢印や直線や曲線等の図形としてディスプレイ３に重畳する。この矢印の図形の例として、対象を指し示すための矢印型ポインタ等が挙げられる。また、直線の図形の例として、ディスプレイ３上で指定された点を通る水平ライン又は垂直ライン等が挙げられる。また、曲線の図形の例として、資料提示装置１００の利用者によってフリーハンドで描画された曲線等が挙げられる。重畳部６が重畳する図形に関する情報は、制御部１６に送信される。
【００４２】
操作部７は、上述したように、ディスプレイ３に表示された撮像情報又は資料情報に対する操作を行う操作マーク（例えば、上記の入力切替マーク７Ａ等）のことであり、タッチパネル５に含まれている。より詳しくは、操作部７は、図６に示すように、タッチパネル５の内縁部（すなわち、内側のへりの部分）に設けられている。なお、タッチパネル５のサイズより、ディスプレイ３のサイズの方が小さい。タッチパネル５が含む操作マーク各々については、後述する。操作部７が、資料提示装置１００の利用者から受け付けた操作に関する情報は、タッチパネル５を経由して重畳部６に送信される。
【００４３】
情報出力部８は、ディスプレイ３に表示された撮像情報又は資料情報を、上記の図形と共に画像表示装置に対して出力する部分であり、例えば、ＲＧＢ出力端子８Ａである。情報出力部８は、資料提示装置１００の筐体１８の側壁１８Ａに設けられている。なお、画像表示装置とは、例えば、プレゼンテーションを行う際に補助的に用いるプロジェクタ等である。図５に示すように、資料提示装置１００の情報出力部８とプロジェクタ２００とをケーブルＣによって接続し、例えばカメラ１によって資料Ｄを撮像し、この撮像された撮像情報を、スクリーン２１０に映し出すことができる。なお、スクリーン２１０には、ディスプレイ３に重畳されている矢印型ポインタＰが表示されている。
【００４４】
画像処理部９は、撮像情報又は資料情報に対して画像処理を施す部分である。画像処理部９は、例えばソフトウェアとして構成されている。画像処理部９により、画像の拡大や縮小等を含む画像処理が行われる。画像処理の操作を行うための操作マークは、上述したように、タッチパネル５上に表示されている。画像処理部９によって画像処理された画像処理情報は、制御部１６を介してディスプレイ３に送信され、表示される。
【００４５】
記録部１０は、ディスプレイ３に表示された撮像情報又は資料情報を記録する部分である。記録部１０は、例えばＣＰＵ及びハードディスクを含むコンピュータを主体として構成されている。
【００４６】
編集部１１は、記録部１０によって記録された情報を編集する部分である。編集部１１は、例えばＣＰＵ及び編集用ソフトウェアを含むコンピュータを主体として構成されている。記録部１０内の記録情報に対する、編集部１１による編集に関する情報は、記録部１０に送信される。
【００４７】
音声入力部１２は、撮像情報又は資料情報に対する音声の入力を受け付ける部分であり、例えばマイク入力端子１２Ａ等である。音声入力部１２は、資料提示装置１００の筐体１８の側壁１８Ａに設けられている。音声入力部１２によって入力が受け付けられた音声情報は、制御部１６に送信される。
【００４８】
音声出力部１３は、撮像情報又は資料情報の音声の出力を行う部分であり、例えば音声出力端子１３Ａ等である。音声出力部１３は、資料提示装置１００の筐体１８の側壁１８Ａに設けられている。音声出力部１３とスピーカー（図示せず）とを接続することにより、撮像情報又は資料情報の音声の出力を行うことができる。なお、音声出力部１３は、音声入力部１２による音声入力処理前の撮像情報又は資料情報が有する音声を出力することも可能であり、また、音声入力部１２による音声入力処理後の撮像情報又は資料情報が有する音声を出力することも可能である。
【００４９】
コード読取部１４は、ディスプレイ３に表示された撮像情報又は資料情報に割り当てられた、当該撮像情報又は当該資料情報を識別するための識別コードを、カメラ１やリモコン１５０を用いて読み取る部分である。この識別コードの例として、バーコードやＱＲコード（登録商標）等が挙げられる。コード読取部１４により読み取られた識別コードに関する情報は、制御部１６に送信される。この結果、この識別コードに対応する当該撮像情報又は当該資料情報が、ディスプレイ３に表示される。
【００５０】
コード出力部１５は、ディスプレイ３に表示された撮像情報又は資料情報に割り当てられた、当該撮像情報又は当該資料情報を識別するための上記の識別コードを、印刷装置（図示せず）に出力する部分である。コード出力部１５は、資料提示装置１００の筐体１８の側壁１８Ａに設けられている。これにより、印刷装置を用いて、識別コードを印刷することができる。なお、印刷装置を用いて印刷する際は、紙やシールに印刷して出力してもよく、印刷する媒体は特に限定されない。
【００５１】
制御部１６は、上記の撮像情報や資料情報をディスプレイ３に表示させるための制御や、上記の撮像情報や資料情報の音声を出力させるための制御等を行う部分である。制御部１６は、例えばＣＰＵ及びメモリを含むコンピュータを主体として構成されている。
【００５２】
第一回動体１７Ａは、筐体１８の側壁１８Ａから突出して設けられると共に、この突出方向（以下、突出方向Ｘとする。）の周りに回動自在に（即ち、図２の黒矢印で示されるように回転自在に）設けられている筒状の回動体である。ここで、第一回動体１７Ａの突出方向Ｘとは、筒状の第一回動体１７Ａの軸方向を意味する。第一回動体１７Ａの一端は、筐体１８の側壁１８Ａから内部に向けて挿入されている。これにより、第一回動体１７Ａの他端に取り付けられて設けられた物体等を、筐体１８の側壁１８Ａに対して水平な面内で自在に回動させることができる。
【００５３】
第二回動体１７Ｂは、第一回動体１７Ａの他端に設けられると共に、第一回動体１７Ａの突出方向Ｘに対して垂直な方向（以下、例えば対垂直方向Ｚ、又は対水平方向Ｙとする。）の回りに回動自在に（即ち、図２の白矢印で示されるように回転自在に）投射部１７を支持する筒状の回動体である。ここで、第二回動体１７Ｂの対垂直方向Ｚとは、筒状の第二回動体１７Ｂの軸方向が図２における垂直方向と平行な場合の第二回動体１７Ｂの軸方向を意味し、第二回動体１７Ｂの対水平方向Ｙとは、筒状の第二回動体１７Ｂの軸方向が図２における水平方向と平行な場合の第二回動体１７Ｂの軸方向を意味する。第二回動体１７Ｂの一端において、第一回動体１７Ａの他端が内部に向けて挿入されている。また、第二回動体１７Ｂの他端において、投射部１７が支持されている。なお、第一回動体１７Ａの突出方向Ｘに対して垂直な方向は、突出方向Ｘに対して垂直であれば特に限定されない。
【００５４】
これにより、第二回動体１７Ｂの他端において支持されて設けられた投射部１７を、筐体１８の側壁１８Ａに対して垂直な面内で自在に回動させることができる。即ち、第二回動体１７Ｂの軸方向が図２における垂直方向と平行な場合は、投射部１７を、対水平方向Ｙ及び突出方向Ｘを含む面内で自在に回動可能である。また、第二回動体１７Ｂの軸方向が図２における水平方向と平行な場合は、投射部１７を、対垂直方向Ｚ及び突出方向Ｘを含む面内で自在に回動可能である。
【００５５】
投射部１７は、ディスプレイ３に表示された撮像情報又は資料情報を、上記の図形と共に投射用のスクリーン２１０や白い壁面等といった被投射領域（即ち、投射される領域）に対して投射する部分である。投射部１７は、図２（ａ）に示すように、第二回動体１７Ｂの他端と、例えば対垂直方向Ｚを中心として回転可能に接続されている。このため、投射部１７をこの対垂直方向Ｚを中心として回転させることにより、装置１００の周囲に対して投射することが可能となる。また、第二回動体１７Ｂの一端は、第一回動体１７Ａの他端と、突出方向Ｘを中心として回転可能に接続されている。投射部１７は、フォーカスリング（図示せず）を有しており、このリングを回転することにより、スクリーン２１０に対して投射する際のピントを合わせることができる。さらに、第一回動体１７Ａを上記の方向Ｘを中心として回転させたり、第二回動体１７Ｂを例えば上記の方向Ｙ，Ｚを中心として回転させて、投射部１７による投射の投射方向を調整することにより、様々な場所や方向に向けて投射することができる。
【００５６】
次に、ディスプレイ３の表面に取り付けられたタッチパネル５に表示される操作マーク等について、図６を用いて説明する。図６は、資料提示装置１００の利用者によって画像登録マークが選択されて、媒体管理画面７Ｊがディスプレイ３に表示された場合におけるタッチパネル５の表示画面である。まず、タッチパネル５が含む操作マーク各々について説明する。操作マークは、入力切替マーク７Ａ（切替部４）、ページ送りマーク７Ｂ、ポインティング／描画マーク７Ｃ（重畳部６）、ポインタ太さ調整マーク７Ｄ、ポインタ色選択マーク７Ｅ、アンドゥ（ＵＮＤＯ）マーク７Ｆ、全消去マーク７Ｇ、画面操作マーク７Ｈ、及び登録操作マーク７Ｉを有している。入力切替マーク７Ａは、カメラマークとＰＣマークとから構成されている。カメラマークを選択すれば、カメラ１によって撮像された撮像情報をディスプレイ３に表示させることができる。また、ＰＣマークを選択すれば、情報入力部２に入力された資料情報を表示させることができる。このように、カメラマークとＰＣマークとを使い分けることにより、入力切替を容易に行うことができる。
【００５７】
ページ送りマーク７Ｂは、戻しマークと送りマークとから構成されている。撮像情報や資料情報といった複数のプレゼンテーション資料をディスプレイ３に表示させている場合に、戻しマークを選択すれば、一つ前の資料を表示させることができる。また、送りマークを選択すれば、一つ後の資料を表示させることができる。このように、戻しマークと送りマークとを使い分けることにより、プレゼンテーション資料の送りや戻しを容易に行うことができる。
【００５８】
ポインティング／描画マーク７Ｃは、ポインタマークとラインマークと描画マークとから構成されている。プレゼンテーション資料をディスプレイ３に表示させている場合に、ポインタマークを選択すれば、矢印型ポインタをこのディスプレイ３に重畳して表示させることができる。また、ラインマークを選択すれば、タッチパネル５上で指し示した点を通る水平ラインをディスプレイ３に重畳して表示させることができる。なお、再度、ラインマークを選択して、タッチパネル５上で指し示した点を通る垂直ラインをディスプレイ３に重畳して表示させるようにしてもよい。また、描画マークを選択すれば、資料提示装置１００の利用者によってタッチパネル５上にフリーハンドで図形（例えば、曲線等）が描画可能な鉛筆マークを、ディスプレイ３に重畳して表示させることができる。このように、ポインタマークとラインマークと描画マークとを使い分けることにより、これらのポインタやマークを利用したプレゼンテーションを容易に行うことができる。
【００５９】
ポインタ太さ調整マーク７Ｄは、太マークと中マークと細マークとから構成されている。上記の水平ラインや垂直ラインを表示させているときに、太マークを選択すれば、このラインを太く表示させることができる。また、細マークを選択すれば、このラインを細く表示させることができる。また、中マークを選択すれば、太マーク選択時の太さと細マーク選択時の太さとの中間にあたる太さのラインを表示させることができる。このように、太マークと中マークと細マークとを使い分けることにより、ラインマークの太さを容易に調整することができる。なお、ポインタ太さ調整マーク７Ｄは、上記の描画マークを選択した際に描画される線の太さを調整可能であってもよい。また、ポインタ太さ調整マーク７Ｄの太マーク、細マーク、及び中マーク各々は、上記の矢印型ポインタの大きさを、大きい矢印、小さい矢印、及び大きい矢印と小さい矢印の中間の大きさの矢印に変更する機能を有していてもよい。
【００６０】
ポインタ色選択マーク７Ｅは、赤、黄、紫、白、緑、青、水、及び黒の八つのマークから構成されている。上記の矢印型ポインタや、水平ラインや、垂直ラインを表示させているときに、各マークを選択すれば、このポインタやラインの色を、選択したマークが示す色に変えることができる。このように、ポインタ色選択マーク７Ｅを使うことにより、ポインタやラインの色を容易に選択して変更することができる。なお、ポインタ色選択マーク７Ｅは、上記の描画マークを選択した際に描画される線の色を変更可能であってもよい。
【００６１】
アンドゥマーク７Ｆは、上記の描画マークを選択して複数回描画した図形に対して、アンドゥマークを一回選択するごとに、一回分の描画処理を取り消す操作マークである。なお、入力用ペン６０がタッチパネル５に触れ始めてから、入力用ペン６０がタッチパネル５から離れるまでに描画された図形が、一回分の描画処理としてカウントされる。
【００６２】
全消去マーク７Ｇは、上記の描画マークを選択して描画した結果、ディスプレイ３に表示されている図形を全て消去する操作マークである。
【００６３】
画面操作マーク７Ｈは、一時停止／再生マークとフリーズマークと縮小マークと拡大マークとから構成されている。プレゼンテーション資料を動画像としてディスプレイ３に表示させている場合に、一時停止／再生マークを選択すれば、動画像の再生を一時停止させることができる。なお、再度、一時停止／再生マークを選択すれば、動画像の再生を再び開始せることができる。また、フリーズマークを選択すれば、ディスプレイ３に表示されている撮像情報又は資料情報のある一瞬を一時的な静止画としてディスプレイ３に表示させることができる。縮小マーク及び拡大マークは、画像処理部９を構成している。拡大マークを選択すれば、撮像情報又は資料情報を拡大（拡大倍率は、例えば、１倍、２倍、３倍、又は４倍）してディスプレイ３に表示させることができる。このように、画面操作マーク７Ｈを使うことにより、プレゼンテーション資料の一時停止／再生や、資料に対する画像処理等を容易に行うことができる。
【００６４】
登録操作マーク７Ｉは、撮影マークと画像登録マークとから構成されている。プレゼンテーション資料を動画像としてディスプレイ３に表示させている場合に、撮影マークを選択すれば、ディスプレイ３に表示されている撮像情報又は資料情報を動画像データとして記録部１０に取り込んで記録させることができる。一方、複数のプレゼンテーション資料を静止画像としてディスプレイ３に表示させている場合に、撮影マークを選択すれば、この撮像情報又は資料情報を静止画像データとして記録部１０に記録させることができる。また、画像登録マークを選択すれば、媒体管理画面７Ｊがディスプレイ３に表示される。媒体管理画面７Ｊは、ＣＤ−ＲＯＭマーク、ＭｅｍｏｒｙＣａｒｄマーク、内部メモリマーク、コンテンツ管理マーク、及びシート印刷マークから構成されている。ＣＤ−ＲＯＭマークを選択すれば、資料提示装置１００が備えるＣＤ−ＲＯＭドライブ５０に設置されたＣＤ−ＲＯＭに記録されている資料情報の一覧が表示される。また、ＭｅｍｏｒｙＣａｒｄマークを選択すれば、資料提示装置１００が備えるメモリカード（ＭｅｍｏｒｙＣａｒｄ）スロットに設置された外部メモリカードに記録されている資料情報の一覧が表示される。また、内部メモリマークを選択すれば、資料提示装置１００が備える内部メモリに一時的に記録された上記の静止画が表示される。また、コンテンツ管理マークを選択すれば、記録部１０に記録されている資料情報の一覧が一覧表示形式で表示される。また、シート印刷マークを選択すれば、上記のコード出力部１５によって、撮像情報又は資料情報に割り当てられた識別コードが、プリンタやシールプリンタといった印刷装置に出力される。これにより、例えば、識別コードを画像化して印刷することができる。
【００６５】
次に、資料提示装置１００の利用を補助するためのリモコンについて、図７及び図８を用いて説明する。図７は、リモコン１５０に備えられたボタンを説明するための、リモコンの平面図である。また、図８は、識別コードリーダを識別コードに対して近づけて識別コードの読み取りを行う様子を示す図である。なお、リモコン１５０は、無線通信（例えば、赤外線通信）により資料提示装置１００を操作するための装置である。
【００６６】
リモコン１５０には、図７に示すように、カメラ／ＰＣ入力切替ボタン１５１が設けられている。この入力切替ボタン１５１を押下する毎に、カメラ１によって撮像された撮像情報を表示させたり、情報入力部２に入力された資料情報を表示させたりした切り替えを行うことができる（上記の入力切替マーク７Ａに相当）。また、リモコン１５０には、ポインタボタン１５２が設けられている。このポインタボタン１５２を押下する毎に、上記の矢印型ポインタや、水平ラインや、垂直ラインや、フリーハンドで描画可能な鉛筆ツールに切り替えることができる（上記のポインティング／描画マーク７Ｃに相当）。また、リモコン１５０には、ページ送りボタン１５３が横長に（左右方向に）設けられている。このページ送りボタン１５３の一端（すなわち、リモコン１５０に向かって右側の一端）を押下する毎に、一つ後の資料を表示させることができる。また、このページ送りボタン１５３の他端（すなわち、リモコン１５０に向かって左側の一端）を押下する毎に、一つ前の資料を表示させることができる（上記のページ送りマーク７Ｂに相当）。また、リモコン１５０には、十字形状の十字キー１５４が設けられている。この十字キー１５４が有する四つの突部の内一つを押下する方向に従って、ディスプレイ３に一覧表示された撮像情報又は資料情報を指し示すカーソルが移動する。記録部１０に取り込んで記録させたい情報にカーソルを合わせて、後述の決定ボタン１６５を押下することにより、この情報を記録部１０に取り込んで記録させることができる。また、リモコン１５０には、ボリュームボタン１５５が縦長に（上下方向に）設けられている。このボリュームボタン１５５の一端（すなわち、リモコン１５０に向かって上側の一端）を押下する毎に、ディスプレイ３において再生される撮像情報又は資料情報の音声の音量を所定量大きくすることができる。また、このボリュームボタン１５５の他端（すなわち、リモコン１５０に向かって下側の一端）を押下する毎に、ディスプレイ３において再生される撮像情報又は資料情報の音声の音量を所定量小さくすることができる。
【００６７】
また、リモコン１５０には、一時停止ボタン１５６、早送りボタン１５７、及び再生ボタン１５８が設けられている。複数のプレゼンテーション資料を動画像としてディスプレイ３に表示させている場合に、一時停止ボタン１５６を押下すれば、動画像の再生を一時停止させることができ、再生ボタン１５８を押下すれば、動画像の再生を再開させることができる。また、早送りボタン１５７を押下すれば、動画像の再生を早送りさせることができる。
【００６８】
また、リモコン１５０には、色ボタン１５９、太さボタン１６０、及び全消去ボタン１６１が設けられている。上記の矢印型ポインタや、水平ラインや、垂直ラインや、鉛筆ツールをディスプレイ３に表示させているときに、この色ボタン１５９を押下する毎に、このポインタやラインやツールの色を順に変えていくことができる（上記のポインタ色選択マーク７Ｅに相当）。同様に、この太さボタン１６０を押下する毎に、このラインや、鉛筆ツールにより描画される線の太さを順に変えていくことができる（上記のポインタ太さ調整マーク７Ｄに相当）。また、全消去ボタン１６１を押下すると、上記の鉛筆ツールを用いて描画した後にディスプレイ３に残って表示された図形を全て消去することができる（上記の全消去マーク７Ｇに相当）。
【００６９】
また、リモコン１５０には、拡大縮小ボタン１６２が横長に（左右方向に）設けられている。この拡大縮小ボタン１６２の一端（すなわち、リモコン１５０に向かって右側の一端）を押下する毎に、撮像情報又は資料情報を拡大（拡大倍率は、例えば、１倍、２倍、３倍、又は４倍）してディスプレイ３に表示させることができる。また、この拡大縮小ボタン１６２の他端（すなわち、リモコン１５０に向かって左側の一端）を押下する毎に、撮像情報又は資料情報を縮小してディスプレイ３に表示させることができる。
【００７０】
また、リモコン１５０には、画像登録ボタン１６３、撮影ボタン１６４、決定ボタン１６５、及び戻る／キャンセルボタン１６６が設けられている。プレゼンテーション資料を動画像としてディスプレイ３に表示させている場合に、撮影ボタン１６４を押下すれば、ディスプレイ３に表示されている撮像情報又は資料情報を動画像データとして記録部１０に取り込んで記録させることができ、プレゼンテーション資料を静止画像としてディスプレイ３に表示させている場合に、撮影ボタン１６４を押下すれば、この撮像情報又は資料情報を静止画像データとして記録部１０に記録させることができる（上記の撮影マークに相当）。また、画像登録ボタン１６３を押下すれば、媒体管理画面７Ｊがディスプレイ３に表示される。媒体管理画面７Ｊが示す項目を選択して決定するには、決定ボタン１６５を押下する。ここで、画像登録をキャンセルする場合は、戻る／キャンセルボタン１６６を押下する。なお、媒体管理画面７Ｊの詳細については既に説明したので、ここでは説明を割愛する。
【００７１】
また、リモコン１５０には、転送ボタン１６８、及びバーコードボタン１６７が設けられている。なお、リモコン１５０には、上記の識別コード１９０を読み取ることが可能な識別コードリーダ（図示せず）が設けられている（資料提示装置１００のコード読取部１４に相当する）。識別コード１９０の読み取りを開始する場合、図８に示すように、識別コードリーダを識別コード１９０に対して５ｃｍ程度の距離に近づけて、このバーコードボタン１６７を押下する。これにより、読み取りが可能となる。この後、転送ボタン１６８を押下することにより、読み取った識別コード１９０を資料提示装置１００に無線転送することができる。なお、バーコードボタン１６７を、１回押下することにより、識別コード１９０を読み取り、資料提示装置１００に無線転送することも可能である。
【００７２】
以上説明したように、本実施形態に係る資料提示装置１００では、まず、資料がカメラ１によって撮像され、この撮像された撮像情報が静止画像又は動画像としてディスプレイ３に表示される。このため、この装置１００の利用者は、撮像情報を表示しながらのプレゼンテーションを容易に行うことができる。また、パソコンから資料情報が情報入力部２に入力され、この入力された資料情報が静止画像又は動画像としてディスプレイ３に表示される。このため、この装置１００の利用者は、資料情報を表示しながらのプレゼンテーションを容易に行うことができる。
【００７３】
また、ディスプレイ３に表示された情報を、切替部４によって、撮像情報に切り替えたり、資料情報に切り替えることができる。このため、この装置１００の利用者は、ディスプレイ３に表示される情報を切り替えながらのプレゼンテーションを容易に行うことができる。また、このディスプレイ３に対する指示の入力がタッチパネル５によって受け付けられ、この受け付けられた指示が、矢印や直線や曲線等の図形として重畳部６によってディスプレイ３に重畳される。このため、この装置１００の利用者は、タッチパネル５に触れたりすることによって指示を入力すると、この指示が上記の図形としてディスプレイ３に重畳される。この結果、タッチパネル５上の所望の位置を正確に指し示して表示させることが容易に可能となり、この図形を利用しながらのプレゼンテーションを容易に行うことができる。
【００７４】
また、ディスプレイ３に表示された撮像情報又は資料情報が、情報出力部８によってプロジェクタ２００に対して出力される。このため、この装置１００の利用者は、ディスプレイ３に表示された撮像情報又は資料情報をプロジェクタ２００に対して出力し、これらの情報をプロジェクタ２００に表示させながらのプレゼンテーションを容易に行うことができる。また、ディスプレイ３に表示された撮像情報又は資料情報が、投射部１７によってスクリーン２１０に対して投射される。このため、この装置１００の利用者は、ディスプレイ３に表示された撮像情報又は資料情報をスクリーン２１０に対して投射し、これらの情報をスクリーン２１０に投射させながらのプレゼンテーションを容易に行うことができる。
【００７５】
以上のように、この装置１００には、カメラ１と、情報入力部２と、ディスプレイ３と、切替部４と、タッチパネル５と、重畳部６と、情報出力部８と、投射部１７と、が一体化して備えられているため、容易に持ち運ぶことが可能となり、また、多くの機能を利用したプレゼンテーションを容易に行うことが可能となる。この結果、多くの装置を用意・準備する煩わしさが無くなる。
【００７６】
また、タッチパネル５が操作部７を含むことにより、静止画像又は動画像としてディスプレイ３に表示された撮像情報又は資料情報に対する、表示、再生、一時停止、スロー再生、早送り、早戻し等を含む操作を、操作部によって行うことができる。
【００７７】
また、ディスプレイ３は、画像処理部９によって画像処理された画像処理情報を表示する。これにより、この装置１００の利用者は、この画像処理情報を利用しながらのプレゼンテーションを容易に行うことができる。
【００７８】
また、資料提示装置１００が記録部１０及び編集部１１を備えることにより、ディスプレイ３に表示された撮像情報又は資料情報を記録し、この記録された情報を編集することができる。
【００７９】
また、タッチパネル５が当該タッチパネルによって受け付けられた指示を指示入力装置（例えば、パソコン等）に対して出力することにより、マウス等の入力装置としての操作（例えば、ダブルクリック等）や描画等を含む指示をこの指示入力装置に対して行うことができる。
【００８０】
また、資料提示装置１００が音声出力部１３、及び／又は、音声入力部１２を備えることにより、撮像情報又は資料情報の音声の出力を行うこと、及び／又は、撮像情報又は資料情報に対する音声の入力を受け付けることができる。
【００８１】
また、ディスプレイ３は、コード読取部１４によって読み取られた識別コードに対応する当該撮像情報又は当該資料情報を表示することにより、この装置１００の利用者は、識別コードをコード読取部１４に読み取らせ、ディスプレイ３に当該撮像情報又は当該資料情報を表示させながらのプレゼンテーションを容易に行うことができる。
【００８２】
また、資料提示装置１００がコード出力部１５を備えている。これにより、この装置１００の利用者は、識別コードをプリンタやシールプリンタ等に印刷させることができる。これにより、この装置の利用者は、プレゼンテーションを行う際に、この印刷された識別コードを用意するだけでよい。そして、この利用者は、この識別コードを上記のコード読取部１４に読み取らせるだけで、ディスプレイ３に当該撮像情報又は当該資料情報を表示させながらのプレゼンテーションを容易に行うことができる。
【００８３】
ここで、プレゼンテーションを行うための装置を用いてプレゼンテーションを行う際には、従来、パソコン等の外部情報機器と、プロジェクタ等の投影装置とを接続して映像を投影（投射）しながら行う方法が用いられてきた。例えば、特開２０００−１０１８９号公報に開示された書画カメラ付きデータプロジェクタでは、パソコンとプロジェクタとを接続ケーブルによって接続する構成となっている。しかしながら、プレゼンテーションを行う度にパソコンとプロジェクタとを接続ケーブルによって接続する作業が必要となり、この接続作業が煩わしいという問題があった。また、プロジェクタの設置位置は限定されており、更に、プロジェクタに取り付けられた投射レンズの投射方向も限定されているため、スクリーンの設置位置が限定されてしまって、資料の交換作業に手間取り、利便性が低いという問題があった。
【００８４】
これに対して、この装置１００には、パソコンとして機能（即ち、カメラ１、情報入力部２、ディスプレイ３、切替部４、タッチパネル５、重畳部６、及び情報出力部８）と、プロジェクタとしての機能（即ち、投射部１７）とが一体化して備えられている。このため、プレゼンテーションを行う度にパソコンとプロジェクタとを接続ケーブルによって接続する作業が不要となり、プレゼンテーションを行う際の利便性を高めることができる。
【００８５】
また、資料提示装置１００が第一回動体１７Ａ及び第二回動体１７Ｂを備えている。これにより、第二回動体１７Ｂは、第一回動体の突出方向Ｘに対して垂直な方向（例えば、対垂直方向Ｚ又は対水平方向Ｙ）の回りに回動自在に投射部１７を支持するため、第二回動体１７Ｂによって支持された投射部１７を、例えば対垂直方向Ｚ又は対水平方向Ｙの回りに自在に回動させることができる。即ち、投射部１７を、筐体１８の側壁１８Ａに対して垂直な面内で自在に回動させることができる。また、第一回動体１７Ａは、筐体１８の側壁１８Ａから突出して設けられると共に当該突出方向Ｘの周りに回動自在に設けられるため、第一回動体１７Ａに設けられた第二回動体１７Ｂによって支持された投射部１７を、第一回動体１７Ａの突出方向Ｘの周りに自在に回動させることができる。即ち、投射部１７を、筐体１８の側壁１８Ａに対して水平な面内で自在に回動させることができる。
【００８６】
これにより、投射部１７を自由な向きに任意に移動させることができるため、スクリーン２１０がどのような位置（例えば、装置１００の上方や下方）にあっても、資料の交換作業に影響することなく容易に投射することが可能となり、利便性を高めることができる。更に、投射方向を、スクリーン２１０に対して垂直にすることにより、投射される像の歪み（例えば、矩形状の像が台形状に投射されるような歪み）を防ぐことができる。
【００８７】
（２）第二実施形態について
本発明の第二実施形態である資料提示装置について、図９及び図１０を用いて説明する。図９は、本実施形態に係る資料提示装置１０１を使用可能にセッティングした状態を示す斜視図である。資料提示装置１０１は、上記の第一実施形態である資料提示装置１００において、第一回動体１７Ａ、第二回動体１７Ｂ、及び投射部１７を取り除いた上で、第一回動体１７Ｃ、回動体支持部１８Ｂ、投射部１７１、及び開閉部１９を内部に収容するカバー１９１を設けた構造となっている。また、図１０は、第一回動体１７Ｃ、回動体支持部１８Ｂ、投射部１７１、及び開閉部１９近傍の概略構成図である。なお、図９及び図１０においては、カバー１９１を取り外した状態で図示されている。
【００８８】
第一回動体１７Ｃは、筐体１８の側壁１８Ａから突出して設けられると共に、この突出方向の周りに回動自在に（図９の黒矢印で示されるように回転自在に）設けられている筒状の回動体である。
【００８９】
カバー１９１は、第一回動体１７Ｃと一体となって、第一回動体１７Ｃの突出方向の周りに回動自在に（図９の黒矢印で示されるように回転自在に）設けられているカバーである。なお、カバー１９１は、投射部１７１が投射する撮像情報又は資料情報を装置１０１の外部に投射できるように、開口部（図示せず）を有している。
【００９０】
回動体支持部１８Ｂは、第一回動体１７Ｃの胴状部分を覆うようにして筐体１８の側壁１８Ａから突出して設けられている筒状の支持部（即ち、スラスト軸受部）である。そして、回動体支持部１８Ｂは、内部で第一回動体１７Ｃと接することにより、第一回動体１７Ｃを支持している。
【００９１】
投射部１７１は、ディスプレイ３に表示された撮像情報又は資料情報を、開閉部１９の光学ミラー１９Ａといった被投射領域に対して投射する部分である。投射部１７１は、第一回動体１７Ｃの内部に配置されている。投射部１７１は、光源１７２、コンデンサレンズ１７３、液晶パネル１７４、及び投射レンズ１７５から構成されており、筐体１８の側壁１８Ａから遠ざかる方向にこの順序で配置されている。液晶パネル１７４は、ディスプレイ３と接続線（図示せず）によって接続されており、ディスプレイ３に表示された撮像情報又は資料情報を映し出すことができる。投射部１７１を構成する要素及びこれら要素の配置については、従来知られた技術である。
【００９２】
開閉部１９は、第一回動体１７Ｃの一端に開閉可能に設けられた板状部である。開閉部１９は、光学ミラー１９Ａ及び軸部材１９Ｂを有する。軸部材１９Ｂは、第一回動体１７Ｃの一端に支持固定されている、光学ミラー１９Ａの開閉（即ち、回転）を行わせる回転支持部材である。また、開閉部１９を閉じた際に投射部１７１と対向する面に、光学ミラー１９Ａが設けられている。光学ミラー１９Ａは、入射光を反射する反射面である。開閉部１９及び光学ミラー１９Ａは、軸部材１９Ｂを回転中心として回動自在（図９の白矢印及び図１０の白矢印で示されるように回転自在）である。開閉部１９が図９の白矢印及び図１０の白矢印で示されるような開閉動作を行うことで、開閉部１９及び光学ミラー１９Ａが回転する。この開閉動作によって、投射部１７１が投射した撮像情報又は資料情報の装置外部への反射方向が変更される。
【００９３】
以上説明したように、本実施形態に係る資料提示装置１０１では、投射部１７が投射した撮像情報又は資料情報の当該資料提示装置１０１の外部への反射方向は、開閉部１９の開閉動作によって、変更される。この結果、撮像情報又は資料情報の資料提示装置１０１の外部への反射方向を自由な方向に任意に変更させることができる。また、第一回動体１７Ｃは、筐体１８の側壁１８Ａから突出して設けられると共に、この突出方向の周りに回動自在に（図９の黒矢印で示されるように回転自在に）設けられている筒状の回動体である。これにより、第一回動体１７Ｃに設けられた開閉部１９を、第一回動体１７Ｃの突出方向の周りに自在に回動させることができる。即ち、撮像情報又は資料情報の装置１０１の外部への反射方向を、筐体１８の側壁１８Ａに対して水平な面内で自在に回動させることができる。
【００９４】
この結果、撮像情報又は資料情報の装置１０１の外部への反射方向を、自由な方向に任意に変更させることができるため、スクリーン２１０がどのような位置（例えば、装置１０１の上方や下方）にあっても容易に投射することが可能となる。更に、投射方向を、スクリーン２１０に対して垂直にすることにより、投射される像の歪み（例えば、矩形状の像が台形状に投射されるような歪み）を防ぐことができる。
【００９５】
（３）第三実施形態について
本発明の第三実施形態である資料提示装置について、図１１を用いて説明する。図１１は、本実施形態に係る資料提示装置１０２を使用可能にセッティングした状態を示す斜視図である。資料提示装置１０２は、上記の第一実施形態である資料提示装置１００において、第一回動体１７Ａを筐体１８の側壁１８Ａから分離し、第一回動体１７Ａと筐体１８の側壁１８Ａとを伝送ケーブル１７Ｄで接続した構造となっている。伝送ケーブル１７Ｄの一端は、第一回動体１７Ａ及び第二回動体１７Ｂを貫通して投射部１７に接続されている。また、資料提示装置１０２の内部において、伝送ケーブル１７Ｄの他端が、制御部１６に接続されている。この結果、投射部１７と制御部１６とが、伝送ケーブル１７Ｄにより接続されている構成となっている。
【００９６】
伝送ケーブル１７Ｄは、カメラ１によって撮像された撮像情報、又は情報入力部２に入力された資料情報を、スクリーン２１０等に対して投射するために投射部１７に接続するケーブルであり、伝送ケーブル１７Ｄは、資料提示装置１０２内に格納されている上記の撮像情報又は資料情報を、第一回動体１７Ａ及び第二回動体１７Ｂを経由して投射部１７に伝送（送信）させる。更に、伝送ケーブル１７Ｄは、投射部１７が上記の撮像情報又は資料情報をスクリーン２１０に投射するのに必要な電力を、資料提示装置１０２から投射部１７に供給させる。
【００９７】
以上説明したように、本実施形態に係る資料提示装置１０２では、第一回動体１７Ａを筐体１８の側壁１８Ａから分離しながら、カメラ１によって撮像された撮像情報、又は情報入力部２に入力された資料情報をスクリーン２１０に対して投射部１７により投射することができる。この結果、第一回動体１７Ａに設けられた第二回動体１７Ｂによって支持された投射部１７をより自由な位置に任意に移動させることができるため、スクリーン２１０がどのような位置にあってもより容易にスクリーン２１０に投射することが可能となる。また、投射部１７と筐体１８とを接続する伝送ケーブル１７Ｄ以外の、接続用ケーブルといった接続線は不要となるため、プレゼンテーションを行うのに必要となる準備作業を軽減することができる。
【００９８】
以上、本発明の好適な実施形態である第一、第二、及び第三実施形態について説明したが、本発明は上記実施形態に限定されるものではない。たとえば、上記実施形態において、資料提示装置１００は、ＣＤ−ＲＯＭドライブ５０の代わりに、ＤＶＤ−ＲＯＭドライブを備えてもよい。この場合、ＤＶＤ−ＲＯＭドライブに設置されたＤＶＤ−ＲＯＭに記録されている資料情報の一覧を表示することが可能となる。
【図面の簡単な説明】
【００９９】
【図１】第一実施形態に係る資料提示装置のブロック構成図である。
【図２】資料提示装置の斜視図である。
【図３】資料提示装置の斜視図、側面図、及び拡大図である。
【図４】ディスプレイに対する指示を入力する様子を示した図である。
【図５】資料提示装置とプロジェクタとを接続した様子を示した図である。
【図６】タッチパネル５の表示画面である。
【図７】リモコンの平面図である。
【図８】識別コードの読み取りを行う様子を示す図である。
【図９】第二実施形態に係る資料提示装置の斜視図である。
【図１０】第一回動体、回動体支持部、投射部、及び開閉部近傍の概略構成図である。
【図１１】第三実施形態に係る資料提示装置の斜視図である。
【符号の説明】
【０１００】
１…カメラ、１Ａ…フォーカスリング、１Ｂ，１Ｃ…カメラアーム、１Ｄ，１Ｅ，３Ｂ，３Ｃ…回転軸、２…情報入力部、２Ａ…ＵＳＢ端子、２Ｂ…ＲＧＢ入力端子、３…ディスプレイ、３Ａ…ディスプレイアーム、３Ｄ…ディスプレイフレーム、４…切替部、５…タッチパネル、６…重畳部、７…操作部、７Ａ…入力切替マーク、７Ｂ…ページ送りマーク、７Ｃ…ポインティング／描画マーク、７Ｄ…ポインタ太さ調整マーク、７Ｅ…ポインタ色選択マーク、７Ｆ…アンドゥマーク、７Ｇ…全消去マーク、７Ｈ…画面操作マーク、７Ｉ…登録操作マーク、７Ｊ…媒体管理画面、８…情報出力部、８Ａ…ＲＧＢ出力端子、９…画像処理部、１０…記録部、１１…編集部、１２…音声入力部、１２Ａ…マイク入力端子、１３…音声出力部、１３Ａ…音声出力端子、１４…コード読取部、１５…コード出力部、１６…制御部、１７…投射部、１７Ａ，１７Ｃ…第一回動体、１７Ｂ…第二回動体、１７Ｄ…伝送ケーブル、１８…筐体、１８Ａ…側壁、１８Ｂ…回動体支持部、１９…開閉部、１９Ａ…光学ミラー、１９Ｂ…軸部材、５０…ＣＤ−ＲＯＭドライブ、６０…入力用ペン、１００，１０１，１０２…資料提示装置、１５０…リモコン、１５１…入力切替ボタン、１５２…ポインタボタン、１５３…ページ送りボタン、１５４…十字キー、１５５…ボリュームボタン、１５６…一時停止ボタン、１５７…早送りボタン、１５８…再生ボタン、１５９…色ボタン、１６０…太さボタン、１６１…全消去ボタン、１６２…拡大縮小ボタン、１６３…画像登録ボタン、１６４…撮影ボタン、１６５…決定ボタン、１６６…キャンセルボタン、１６７…バーコードボタン、１６８…転送ボタン、１７１…投射部、１７２…光源、１７３…コンデンサレンズ、１７４…液晶パネル、１７５…投射レンズ、１９０…識別コード、１９１…カバー、２００…プロジェクタ、２１０…スクリーン、Ｃ…ケーブル、Ｄ…資料、ＥＳ…電源ソケット、Ｐ…矢印型ポインタ、ＳＷ…電源スイッチ。
【図１】
2007049676.tif 000003
【図２】
2007049676.tif 000004
【図３】
2007049676.tif 000005
【図４】
2007049676.tif 000006
【図５】
2007049676.tif 000007
【図６】
2007049676.tif 000008
【図７】
2007049676.tif 000009
【図８】
2007049676.tif 000010
【図９】
2007049676.tif 000011
【図１０】
2007049676.tif 000012
【図１１】
2007049676.tif 000013